(57)【要約】【課題】リモートコントロール装置の探索を容易にする技術を提供する。【解決手段】リモートコントロールの位置を報知する報知システムは、ユーザの指定した機器に対応する第１の機器情報を無線信号で送信する送信機と、リモートコントロールの対象となる機器に対応する第２の機器情報を記憶しておき、前記送信機から前記第１の機器情報を受信し、受信した該第１の機器情報と記憶しておいた該第２の機器情報との照合により前記第１の機器情報に対応する機器と前記第２の機器情報に対応する機器との一致を確認し、一致すれば音又は光を出力し、或いは一致すれば振動するリモートコントロール装置と、を有する。【選択図】図１
2009194828.tif 000002
【特許請求の範囲】
【請求項１】
リモートコントロール装置の位置を報知する報知システムであって、
ユーザの指定した機器に対応する第１の機器情報を無線信号で送信する送信機と、
リモートコントロールの対象となる機器に対応する第２の機器情報を記憶しておき、前記送信機から前記第１の機器情報を受信し、受信した該第１の機器情報と記憶しておいた該第２の機器情報との照合により前記第１の機器情報に対応する機器と前記第２の機器情報に対応する機器との一致を確認し、一致すれば音又は光を出力し、或いは一致すれば振動するリモートコントロール装置と、
を有する報知システム。
【請求項２】
前記リモートコントロール装置は、前記照合において、前記第１の機器情報と前記第２の機器情報との予め定められた少なくとも一部が一致する場合に、前記第１の機器情報に対応する機器と前記第２の機器情報に対応する機器とが一致すると判断する、請求項１に記載の報知システム。
【請求項３】
前記無線信号は、ブルートゥース規格における無線信号である、請求項１又は２に記載の報知システム。
【請求項４】
前記送信機は携帯電話端末である、請求項１乃至３のいずれか１項に記載の報知システム。
【請求項５】
前記第１の機器情報及び前記第２の機器情報は、前記機器の区分を示す区分情報、前記機器の製造会社を示す製造会社情報、及び前記機器の型式を示す型式情報のうち、いずれか１つ以上を有する、請求項１乃至４のいずれか１項に記載の報知システム。
【請求項６】
リモートコントロールの対象となる機器に対応する第１の機器情報を記憶する記憶手段と、
ユーザの指定した機器に対応する第２の機器情報が付加された無線信号を受信する受信手段と、
前記記憶手段から読み出した前記第１の機器情報と前記受信手段により受信された前記第２の機器情報との照合により前記第１の機器情報に対応する機器と前記第２の機器情報に対応する機器との一致を確認し、一致すれば音又は光を出力し、或いは一致すれば振動する報知手段と、
を有するリモートコントロール装置。
【請求項７】
前記報知手段は、前記照合において、前記第１の機器情報と前記第２の機器情報との予め定められた少なくとも一部が一致する場合に、前記第１の機器情報に対応する機器と前記第２の機器情報に対応する機器とが一致すると判断する、請求項６に記載のリモートコントロール装置。
【請求項８】
前記無線信号はブルートゥース規格における無線信号である、請求項６又は７に記載のリモートコントロール装置。
【請求項９】
前記第１の機器情報及び前記第２の機器情報は、前記機器の区分を示す区分情報、前記機器の製造会社を示す製造会社情報、及び前記機器の型式を示す型式情報のうち、いずれか１つ以上を有する、請求項６乃至８のいずれか１項に記載のリモートコントロール装置。
【請求項１０】
ユーザの指定した機器に対応する機器情報を入力する入力手段と、
前記入力手段により入力された前記機器情報を無線信号でリモートコントロール装置に送信する送信手段と、
を有する送信機。
【請求項１１】
前記無線信号はブルートゥース規格における無線信号である、請求項１０に記載の送信機。
【請求項１２】
前記送信機は携帯電話端末である、請求項１０又は１１に記載の送信機。
【請求項１３】
前記機器情報は、前記機器の区分を示す区分情報、前記機器の製造会社を示す製造会社情報、及び前記機器の型式を示す型式情報のうち、いずれか１つ以上を有する、請求項１０乃至１２のいずれか１項に記載の送信機。
【請求項１４】
リモートコントロールの対象となる機器に対応する第１の機器情報を記憶したリモートコントロール装置の位置を報知する報知方法であって、
ユーザの指定した機器に対応する第２の機器情報を送信機から無線信号で送信し、
前記リモートコントロール装置が前記送信機から前記第２の機器情報を受信し、
受信した該第２の機器情報と記憶しておいた該第１の機器情報との照合により前記第１の機器情報に対応する機器と前記第２の機器情報に対応する機器との一致を確認し、
一致すれば音又は光を出力し、或いは一致すれば振動する、報知方法。
【請求項１５】
送信機を制御するためのプログラムであって、
ユーザの指定した機器に対応する機器情報を入力する入力手順、及び
前記入力手順により入力された前記機器情報を無線信号でリモートコントロール装置に送信する送信手順、
をコンピュータに実行させるためのプログラム。
【発明の詳細な説明】
【技術分野】
【０００１】
本発明は、機器を制御するリモートコントロール装置の位置を報知する技術に関する。
【背景技術】
【０００２】
家電製品には、テレビ、エアコン、洗濯機など多数の製品カテゴリがあり、その製造会社、型式も多数存在する。
【０００３】
これらの家電製品には、遠隔から機器を操作するためのリモートコントロール装置（以下、「リモコン」という。）が付属することがあるが、このリモコンは、製品カテゴリ、メーカ、または型式ごとに形や大きさが異なり、多数の種類が存在する。
【０００４】
ユーザが所有する家電製品の種類が多くなると所有するリモコンの数も多くなり、さらにリモコンは比較的小型であるから、いくつかが床に落としたり、荷物に紛れたりしてそれらの位置がわからなくなることがある。
【０００５】
リモコンを見つけるために、特許文献１〜３に開示された技術では、所定の電波を受信すれば音声を出力する部品を予めリモコンに取り付けておく。そして、小型発信機から電波を飛ばしてその電波を受信したリモコン付属の部品が音が出力する構成としている。
【０００６】
また、特許文献４に開示された技術では、リモコンに振動する部品を取り付け、発信機から電波を受信するとリモコンが振動する構成としている。
【特許文献１】実用新案登録第３０９１８８１号公報
【特許文献２】特開２００２−１９６７７４号公報
【特許文献３】特開２００７−２８８６３２号公報
【特許文献４】特開平１−２９３９９７号公報
【発明の開示】
【発明が解決しようとする課題】
【０００７】
しかし、特許文献１〜４に開示された技術では、多くの種類のリモコンを管理する場合、リモコンの探索が困難となることがあった。
【０００８】
例えば、テレビおよびエアコンのそれぞれに対応する２つのリモコンをユーザが所有している場合、小型発信機から電波を発信すると、２つのリモコンから同時に音声出力される。ユーザがテレビを操作するためテレビのリモコンのみを見つけたい場合であっても、テレビのリモコンのみを選択して音声出力させることはできない。
【０００９】
或いは、Ａ社製のテレビとＢ社製のテレビをユーザが所有している場合、一方のテレビに対応するリモコンのみを見つけたいときであっても、そのメーカのテレビに対応するリモコンのみを特定して音声出力させることができない。
【００１０】
このため、ユーザ所望のリモコンを見つけることが困難になるという問題があった。
【００１１】
上記問題点に鑑み、本発明は、リモートコントロール装置の探索を容易にする技術を提供することを目的とする。
【課題を解決するための手段】
【００１２】
上記目的を達成するために、本発明の報知システムは、リモートコントロールの位置を報知する報知システムであって、ユーザの指定した機器に対応する第１の機器情報を無線信号で送信する送信機と、リモートコントロールの対象となる機器に対応する第２の機器情報を記憶しておき、前記送信機から前記第１の機器情報を受信し、受信した該第１の機器情報と記憶しておいた該第２の機器情報との照合により前記第１の機器情報に対応する機器と前記第２の機器情報に対応する機器との一致を確認し、一致すれば音又は光を出力し、或いは一致すれば振動するリモートコントロール装置と、を有する。
【００１３】
本発明のリモートコントロール装置は、リモートコントロールの対象となる機器に対応する第１の機器情報を記憶する記憶手段と、ユーザの指定した機器に対応する第２の機器情報が付加された無線信号を受信する受信手段と、前記記憶手段から読み出した前記第１の機器情報と前記受信手段により受信された前記第２の機器情報との照合により前記第１の機器情報に対応する機器と前記第２の機器情報に対応する機器との一致を確認し、一致すれば音又は光を出力し、或いは一致すれば振動する報知手段と、を有する。
【００１４】
また、本発明の送信機は、ユーザの指定した機器に対応する機器情報を入力する入力手段と、前記入力手段により入力された前記機器情報を無線信号でリモートコントロール装置に送信する送信手段と、を有する。
【００１５】
本発明の報知方法は、リモートコントロールの対象となる機器に対応する第１の機器情報を記憶したリモートコントロールの位置を報知する報知方法であって、ユーザの指定した機器に対応する第２の機器情報を無線信号で送信し、前記リモートコントロール装置が前記送信機から前記第２の機器情報を受信し、受信した該第２の機器情報と記憶しておいた該第１の機器情報との照合により前記第１の機器情報に対応する機器と前記第２の機器情報に対応する機器との一致を確認し、一致すれば音又は光を出力し、或いは一致すれば振動する。
【００１６】
本発明のプログラムは、送信機を制御するためのプログラムであってユーザの指定した機器に対応する機器情報を入力する入力手順、及び前記入力手順により入力された前記機器情報を無線信号でリモートコントロール装置に送信する送信手順、をコンピュータに実行させる。
【発明の効果】
【００１７】
本発明によれば、リモートコントロール装置の探索を容易にする技術を提供することができる。
【発明を実施するための最良の形態】
【００１８】
本発明を実施するため最良の形態について図面を参照して詳細に説明する。
【００１９】
図１は、本実施形態の報知システム１の構成を示す全体図である。報知システム１は、機器を制御するリモコンの位置を報知するためのシステムである。同図を参照すると、報知システム１は、携帯電話１０およびリモコン１１を有する。携帯電話１０は、十字キーＫ１、ＬキーＫ２、およびＲキーＫ３を有する。十字キーＫ１、ＬキーＫ２、およびＲキーＫ３は、携帯電話１０を操作するためにユーザにより使用される。同図における矢印は、携帯電話１０からリモコン１１へ所定の情報が付加された無線信号が送信されることを意味する。無線信号に付加される情報の内容については後述する。
【００２０】
図２を参照して携帯電話１０について説明する。同図は、携帯電話１０の構成を示すブロック図である。同図を参照すると、携帯電話１０は、表示部１０１、入力部１０３、セルラー機能部１０５、および送信部１０７を有する。
【００２１】
表示部１０１は、セルラー機能部１０５の制御に従って携帯電話１０の操作用の画面を表示する。
【００２２】
入力部１０３は、図１で示した十字キーＫ１、ＬキーＫ２、およびＲキーＫ３を有する。入力部１０３によりユーザ所望のリモコンの機器に対応する機器コードが入力される。
【００２３】
機器コードとは、リモコン１１が制御対象とする機器（例えば、家電製品）を特定する情報である。機器コードは、機器の属する区分（カテゴリ）を示す情報、機器の製造会社（メーカ）を示す情報、および機器の機種（型式）を示す情報を有する。ユーザはカテゴリ、メーカ、および型式の全てを示す機器コードを入力する必要はなく、いずれか１つまたは２つを示す機器コードを入力することもできる。
【００２４】
例えば、ユーザがＡ社製のテレビのリモコンを探索するのであれば、入力部１０３を操作することにより、カテゴリとして「テレビ」、メーカとして「Ａ社」を示す機器コードを入力する。
【００２５】
なお、機器コードは、必ずしも家電製品のカテゴリ、メーカ、および型式の全てを示す情報を有する必要はなく、カテゴリ、メーカ、または型式のいずれか１つまたは２つを示す情報を有してもよい。また、機器コードは、カテゴリ、メーカ、および型式を示す情報以外の情報を有することもできる。例えば、機器コードは、携帯電話１０がその機器コードを送信した直近の日時を示す情報を有し、携帯電話１０は表示部１０１に送信した日時が新しい順に機器コードの示す内容を表示させる構成とすることもできる。または、ユーザは、よく操作する家電製品のリストを携帯電話１０に登録しておき、機器コードは、リストに登録されたことを示す情報を有する構成とすることもできる。その場合、携帯電話１０は、表示部１０１にリストに登録された機器に対応する機器コードの内容を優先的に表示させればよい。
【００２６】
セルラー機能部１０５は、機器コードリスト１０５１を有し、表示部１０１に機器コードリスト１０５１の示す内容（カテゴリ、メーカ、および型式）を表示させる。そして、セルラー機能部１０５は、送信部１０５に、入力部１０３により入力された機器コードをリモコン１１へ送信させる。
【００２７】
機器コードリスト１０５１について図３を参照して説明する。機器コードリスト１０５１は、携帯電話１０が送信する機器コードの一覧を示す情報である。同図は、機器コードリスト１０５１の構成を示した図である。同図を参照すると、機器コードリスト１０５１における各機器コードは、家電別コード、メーカ別コード、および型式コードを有する。
【００２８】
家電別コードは、リモコンが付属する家電製品の属するカテゴリを示す情報である。メーカ別コードは、リモコンが付属する家電製品のメーカを示す情報である。型式コードは、リモコンが付属する家電製品の型式を示す情報である。例えば、リモコンが付属する家電製品が、Ａ社製の型式「ＸＸＸＸ」のテレビであれば、そのリモコンに対応する機器コードは、「テレビ」を示す家電別コード、「Ａ社」を示すメーカ別コード、および「ＸＸＸＸ」を示す型式コードを有する。
【００２９】
なお、機器コードリスト１０５１は、携帯電話１０が基地局等から受信することにより取得してもよいし、機器コードリスト１０５１を記憶したメモリーカードから読み出すことにより取得してもよい。予め携帯電話１０の有するメモリ（不図示）に記憶しておく構成としてもよい。機器コードリスト１０５１の内容は、ユーザが手動で更新することもできる。
【００３０】
図２に戻り、送信部１０７は、セルラー機能部１０５の制御により、入力部１０３により入力された機器コードを付加した無線信号をリモコン１１へ送信する。
【００３１】
送信部１０７は、例えば、ブルートゥース規格に従った無線信号を送信する通信用モジュールである。ただし、送信部１０７は、ブルートゥース規格に限らず、ＩｒＤＡ（Infrared Data Association）やＨｏｍｅＲＦ（Radio Frequency）規格の無線信号を送信するモジュールであってもよい。
【００３２】
上述した構成により、携帯電話１０は、ユーザにより入力された機器コードをリモコン１１へ送信する。
【００３３】
なお、本実施形態では携帯電話から機器コードを送信することとしているが、携帯電話に限らず、無線通信機能を有するものであれば、ＰＨＳ（Personal Handyphone System）、ＰＤＡ（Personal Digital Assistant）などから機器コードを送信してもよい。
【００３４】
リモコン１１の構成について図４を参照して説明する。同図はリモコン１１の構成を示すブロック図である。同図を参照すると、リモコン１１は、受信部１１１、リモコン機能部１１３、および音声出力部１１５を有する。
【００３５】
受信部１１１は、携帯電話１０から送信された機器コードを受信する。受信部１１１は例えば、ブルートゥース規格に従った無線信号を受信する通信用モジュールである。
【００３６】
リモコン機能部１１３は、固有機器コード１１３１を有する。図５に固有機器コード１１３１の構成を示す。同図を参照すると、固有機器コード１１３１は、リモコン１１が付属する家電製品のカテゴリ、メーカ、および型式にそれぞれ対応する家電別コード、メーカ別コード、および型式コードを有する。機器コード１１３１は、家電別コード、メーカ別コード、および型式コードのいずれか１つまたは２つを有してもよいし、家電別コード、メーカ別コード、および型式コード以外の情報を有する構成であってもよい。
【００３７】
図４に戻り、リモコン機能部１１３は、固有機器コード１１３１と受信部１１１により受信された機器コードとを照合し、ユーザにより指定された機器とリモコン１１に対応する機器とが一致するか否かを判断する。
【００３８】
例えば、両者の家電別コード、メーカ別コード、および型式コードのそれぞれについて一致演算を行い、いずれかのコードが一致するか否かを判断する。
【００３９】
家電別コード、メーカ別コード、または型式コードのうちのいずれかが一致する場合、リモコン機能部１１３は、音声出力部１１５に音声を出力させる。
【００４０】
音声出力部１１５は、リモコン機能部１１３の制御により、音声を出力する。
【００４１】
なお、家電別コード、メーカ別コード、または型式コードのうちのいずれかが一致するか否かを判断するのでなく、いずれか２つが共に一致するか否かを判断する構成とすることもできる。例えば、メーカ別コードのみが一致しても音声出力せず、家電別コードとメーカ別コードとがいずれも一致する場合に音声出力する構成とすることもできる。
【００４２】
上述した構成により、リモコン１１は、固有機器コード１１３１と少なくとも一部が一致する機器コードを受信した場合に、音声を出力する。
【００４３】
また、リモコン１１は、音声出力部１１５の代わりに振動を発生する部品または光を出力する部品を有し、機器コード１１３１と少なくとも一部が一致する機器コードを受信した場合に、振動を発生させ、または光を出力させる構成とすることもできる。或いは、音声、光、振動のいずれか１つ以上を出力または発生させる構成とすることもできる。音声、光、振動以外にリモコンの位置を知らせる方法がある場合、その方法を組み合わせることもできる。
【００４４】
なお、携帯電話１０が複数のリモコン１１に機器コードを送信してもよいし、リモコン１１は複数の携帯電話１０から機器コードを受信してもよい。
【００４５】
本実施形態によれば、携帯電話１０は、ユーザの指定した機器に対応する機器コードを無線信号で送信する。
【００４６】
そして、リモコン１１は、リモートコントロールの対象となる機器に対応する固有機器コード１１３１を記憶しておき、携帯電話１０から機器コードを受信する。リモコン１１は、受信した機器コードと記憶しておいた固有機器コード１１３１との照合により、受信した機器コードに対応する機器と固有機器コード１１３１に対応する機器との一致を確認し、一致すれば音を出力する。
【００４７】
このように、携帯電話１０がユーザ指定の機器に対応する機器コードを送信すれば、ユーザ指定の機器と一致する機器をリモートコントロールするリモコン１１が音を出力する。このため、ユーザ所望の機器に対応するリモコンのみを見つけることができ、リモコンの探索が容易となる。
【００４８】
図６を参照して携帯電話１０の動作について説明する。同図は、携帯電話１０の入力・送信処理を示すフローチャートである。入力・送信処理は、セルラー機能部１０５が、入力部１０３により入力された機器コードを送信部１０７に送信させる処理である。この入力・送信処理は所定のアプリケーションが実行された場合に開始する。
【００４９】
図６を参照すると、まず、セルラー機能部１０５は、ユーザが家電製品のカテゴリを選択するための画面を表示部１０１に表示させ、ユーザによるキー（Ｋ１、Ｋ２、Ｋ３）入力を受け付ける。そしてセルラー機能部１０５は、ユーザにより家電製品のカテゴリが選択され、送信キーが押下されたか否かを判断する（ステップＳ１）。例えば、カテゴリは十字キーＫ１で選択することとし、送信キーはＬキーＫ２とする。
【００５０】
ユーザにより送信キーが押下されない場合（ステップＳ１：ＮＯ）、セルラー機能部１０５は、ユーザによりメーカ選択キーが押下されたか否かを判断する（ステップＳ３）。メーカ選択キーは例えば、ＲキーＫ３である。メーカ選択キー（Ｋ３）が押下されていない場合（ステップＳ３：ＮＯ）、セルラー機能部１０５はステップＳ１に戻る。
【００５１】
メーカ選択キー（Ｋ３）が押下された場合（ステップＳ３：ＹＥＳ）、セルラー機能部１０５は表示部１０１に、ユーザがメーカを選択するための画面を表示させる。そして、セルラー機能部１０５は、ユーザによりメーカが選択され、送信キーが押下されたか否かを判断する（ステップＳ５）。例えば、メーカは十字キーＫ１で選択することとし、送信キーはＬキーＫ２とする。
【００５２】
送信キー（Ｋ２）が押下されていない場合（ステップＳ５：ＮＯ）、セルラー機能部１０５は、ユーザにより型式選択キーが押下されたか否かを判断する（ステップＳ７）。型式選択キーは例えば、ＲキーＫ３である。型式選択キー（Ｋ３）が押下されていない場合（ステップＳ７：ＮＯ）、セルラー機能部１０５は、ステップＳ５に戻る。
【００５３】
ユーザにより型式選択キー（Ｋ３）が押下された場合（ステップＳ７：ＹＥＳ）、セルラー機能部１０５は表示部１０１に、ユーザが型式を選択するための画面を表示させる。そして、セルラー機能部１０５は、ユーザにより型式が選択され、送信キーが押下されたか否かを判断する（ステップＳ９）。例えば、型式は十字キーＫ１で選択することとし、送信キーはＬキーＫ２とする。
【００５４】
送信キー（Ｋ２）が押下されていない場合（ステップＳ９：ＮＯ）、セルラー機能部１０５は、ステップＳ９に戻る。
【００５５】
ユーザにより型式が選択され、送信キー（Ｋ２）が押下された場合（ステップＳ９：ＹＥＳ）、またはユーザによりカテゴリが選択され、送信キー（Ｋ２）が押下された場合（ステップＳ１：ＹＥＳ）、或いはユーザによりメーカが選択され、送信キー（Ｋ２）が押下された場合（ステップＳ５：ＹＥＳ）、セルラー機能部１０５は送信部１０７に、選択されたカテゴリを示す家電別コード、選択されたメーカを示すメーカ別コード、または選択された型式を示す型式コードを有する機器コードを無線信号に付加してリモコン１１へ送信させる（ステップＳ１１）。ステップＳ１１の後、セルラー機能部１０５は、入力・送信処理を終了する。
【００５６】
上述したように、携帯電話１０は、ユーザによりカテゴリのみが選択される場合、カテゴリおよびメーカが選択される場合、カテゴリ、メーカ、および型式が選択される場合に、選択されたカテゴリ等を示す機器コードを送信する。
【００５７】
次に、図７を参照して、リモコン１１の動作について説明する。同図は、リモコン機能部１１３により実行される音声出力処理を示すフローチャートである。音声出力処理は、受信部１１１が機器コードを受信したときに開始する。
【００５８】
図７を参照すると、まず、リモコン機能部１１３は、型式が指定されているか否かを判断する（ステップＴ１）。例えば、ユーザにより型式またはメーカが選択されなかった場合、携帯電話１０は、未指定を示す型式コードまたはメーカ別コードを有する機器コードを送信する。そして、リモコン機能部１１３は、受信した機器コードの型式コードまたはメーカ別コードが未指定を示すコードであるか否かによりユーザが型式またはメーカを指定したか否かを判断する。
【００５９】
ユーザにより型式が指定されている場合（ステップＴ１：ＹＥＳ）、リモコン機能部１１３は、固有機器コード１１３１の型式コードと受信した機器コードの型式コードとが一致するか否かを判断する（ステップＴ３）。
【００６０】
ユーザにより型式が指定されていない場合（ステップＴ１：ＮＯ）、リモコン機能部１１３は、ユーザによりメーカが指定されているか否かを判断する（ステップＴ５）。
【００６１】
ユーザによりメーカが指定されている場合（ステップＴ５：ＹＥＳ）、リモコン機能部１１３は、固有機器コード１１３１と受信した機器コードとにおいてメーカ別コードおよび家電別コードが一致するか否かを判断する（ステップＴ７）。
【００６２】
ユーザによりメーカが指定されていない場合（ステップＴ５：ＮＯ）、リモコン機能部１１３は、固有機器コード１１３１と受信した機器コードとにおいて家電別コードが一致するか否かを判断する（ステップＴ９）。
【００６３】
固有機器コード１１３１と受信した機器コードとにおいて型式コードが一致する場合（ステップＴ３：ＹＥＳ）、または家電別コードおよびメーカ別コードが一致する場合（ステップＴ７：ＹＥＳ）、或いは家電別コードが一致する場合（ステップＴ９：ＹＥＳ）、リモコン機能部１１３は、音声出力部１１５に音声を出力させる（ステップＴ１１）。
【００６４】
固有機器コード１１３１および受信した機器コードにおいて型式コードが一致しない場合（ステップＴ３：ＮＯ）、または家電別コードまたはメーカ別コードが一致しない場合（ステップＴ７：ＮＯ）、或いは家電別コードが一致しない場合（ステップＴ９：ＮＯ）、リモコン機能部１１３は、音声出力処理を終了する。
【００６５】
上述したように、受信した機器コードとリモコン１１の有する固有機器コード１１３１とにおいて、型式コードまたは家電別コードが一致する場合、或いは家電別コードおよびメーカ別コードが一致する場合に、リモコン１１は音声を出力する。
【００６６】
次に図８〜図１１を参照して携帯電話１０の動作例について説明する。
【００６７】
図８は、ステップＳ１において、家電製品のカテゴリを選択するために表示部１０１に表示される画面１０１１の一例である。同図を参照すると、この画面１０１１は、家電製品の属するカテゴリの候補を一覧表示するカテゴリリスト１０１１Ａ、送信キー表示１０１１Ｂ、およびメーカ選択キー表示１０１１Ｃを有する。
【００６８】
カテゴリリスト１０１１Ａは、表示部１０１が、機器コードリスト１０５１から読み出された家電別コードの示す家電製品のカテゴリを一覧表示したものである。同図における斜線部は、現在ユーザにより選択されているカテゴリを示している。ユーザは、入力部１０３の有する十字キーＫ１を操作することにより、カテゴリリスト１０１１Ａが有する、いずれかのカテゴリを選択することができる。例えば、同図において、カテゴリリスト１０１１Ａに「テレビ」、「照明器具」、「エアコン」、「レコーダー」などが表示され、そのうちの「エアコン」がユーザにより選択されている。
【００６９】
送信キー表示１０１１Ｂは、機器コードを送信するためのキーの位置を示す。例えば、ＬキーＫ２の位置が示される。送信キー表示１０１１Ｂの示すキー（Ｋ２）をユーザが押下することにより（ステップＳ１：ＹＥＳ）、機器コードがリモコン１１へ送信される（ステップＳ１１）。
【００７０】
メーカ選択キー表示１０１１Ｃは、メーカ選択画面を表示するためのキーの位置を示す。例えば、ＲキーＫ３の位置が示される。メーカ選択キー表示１０１１Ｃの示すキー（Ｋ３）をユーザが押下することにより（ステップＳ３：ＹＥＳ）、ユーザがメーカを選択するための画面が表示される。
【００７１】
図９（ａ）を参照して、図８においてユーザにより家電製品のカテゴリが選択され、送信キー（Ｋ２）が押下された場合（ステップＳ１：ＹＥＳ）、送信部１０７により送信される機器コードについて説明する。図８（ａ）は、カテゴリとして「テレビ」が選択され、メーカ、型式は選択されていないときの機器コードの構成の一例を示す図である。同図（ａ）を参照すると、機器コードは、「テレビ」を示す家電別コード、未指定「−」を示すメーカ別コード、および未指定「−」を示す型式コードを有する。未指定「−」はユーザにより家電製品のメーカまたは型式が選択されていないことを意味する。
【００７２】
図１０を参照してステップＳ５において表示部１０１に表示される画面について説明する。同図は、リモコンに対応する家電製品のメーカを選択するために表示部１０１に表示される画面１０１２の一例である。同図を参照すると、この画面１０１２は、家電製品のメーカの候補を一覧表示するメーカリスト１０１２Ａ、送信キー表示１０１２Ｂ、および型式選択キー表示１０１２Ｃを有する。
【００７３】
メーカリスト１０１２Ａは、表示部１０１が、機器コードリスト１０５１から読み出されたメーカ別コードの示す家電製品のメーカを一覧表示したものである。同図における斜線部は、現在ユーザにより選択されているメーカを示している。ユーザは、入力部１０３の有する十字キーＫ１を操作することにより、メーカリスト１０１２Ａが含むいずれかのメーカを選択することができる。同図において、例えば、メーカリスト１０１２Ａに「Ａ社」、「Ｂ社」、「Ｃ社」、「Ｄ社」などが表示され、「Ｃ社」がユーザにより選択されている。
【００７４】
送信キー表示１０１２Ｂは、機器コードを送信するためのキーの位置を示す。例えば、ＬキーＫ２の位置が示される。
【００７５】
型式選択キー表示１０１２Ｃは、型式を選択するための画面を表示するためのキーの位置を示す。例えば、キーとしてＲキーＫ３の位置が示される。
【００７６】
図８（ｂ）に戻り、図１０においてユーザによりカテゴリおよびメーカが選択され、送信キー（Ｋ２）が押下された場合（ステップＳ５：ＹＥＳ）、送信部１０７により送信される機器コードについて説明する。図８（ｂ）は、カテゴリとして「テレビ」が選択され、メーカとして「Ａ社」が選択され、型式は選択されていないときの機器コードの構成の一例を示す図である。同図（ｂ）を参照すると、機器コードは、「テレビ」を示す家電別コード、「Ａ社」を示すメーカ別コードおよび未指定「−」を示す型式コードを有する。
【００７７】
図１１を参照してステップＳ９において表示部１０１に表示される画面について説明する。同図は、リモコンに対応する家電製品の型式を選択するために表示部１０１に表示される画面１０１３の一例である。同図を参照すると、この画面１０１３は、家電製品の型式の候補を一覧表示するメーカリスト１０１３Ａおよび送信キー表示１０１３Ｂを有する。
【００７８】
型式リスト１０１３Ａは、表示部１０１が、機器コードリスト１０５１から読み出された型式コードの示す家電製品の型式を一覧表示したものである。同図における斜線部は、現在ユーザにより選択されている型式を示している。ユーザは、入力部１０３の有する十字キーＫ１を操作することにより、型式リスト１０１３Ａが含むいずれかの型式を選択することができる。同図において、例えば、型式リスト１０１２Ａに「ＸＸＸＸ」、「△△△△」、「○○○○」、「□□□□」などが表示され、「○○○○」がユーザにより選択されている。
【００７９】
送信キー表示１０１３Ｂは、機器コードを送信するためのキーの位置を示す。例えば、ＬキーＫ２の位置が示される。
【００８０】
図８（ｃ）に戻り、図１１において、ユーザによりカテゴリ、メーカおよび型式が選択され、送信キー（Ｋ２）が押下された場合（ステップＳ９：ＹＥＳ）、送信部１０７により送信される機器コードについて説明する。図８（ｃ）は、カテゴリとして「テレビ」が選択され、メーカとして「Ａ社」が選択され、型式として「ＸＸＸＸ」が選択されたときの機器コードの構成の一例を示す図である。同図（ｃ）を参照すると、機器コードは、「テレビ」を示す家電別コード、「Ａ社」を示すメーカ別コードおよび「ＸＸＸＸ」を示す型式コードを有する。
【００８１】
このように、ユーザが家電製品のカテゴリしかわからない場合は、ユーザがカテゴリのみを指定することで、指定されたカテゴリに属する家電製品に対応するリモコン１１が音声出力する。ユーザがカテゴリに加えてメーカも分かる場合は、ユーザがカテゴリおよびメーカを指定することで、指定されたカテゴリに属し、指定されたメーカ製の家電製品に対応するリモコン１１が音声出力する。
【００８２】
なお、携帯電話１０に表示されたカテゴリ一覧（図８）にユーザが所望するカテゴリがないが、携帯電話１０に表示されメーカの一覧（図１０）にユーザ所望のメーカがある場合も考えられるので、携帯電話１０でメーカのみを指定できる構成とすることもできる。
【００８３】
また、リモコン１１は、１つの家電製品を制御するリモコンである必要はなく、カテゴリ、メーカ、または型式が異なる複数の家電製品を制御するリモコンであってもよい。その場合、リモコン１１は、制御する家電製品に対応する数の固有機器コード１１３１を有する構成とする。また、リモコン１１は、制御する家電製品を変更または追加することができる汎用リモコンであってもよい。その場合、制御する家電製品の変更、追加に応じてリモコン１１が固有機器コード１１３１の内容を更新すればよい。
【００８４】
図６および図７のフローチャートに示した処理の一部または全てはコンピュータプログラムにより実現することもできる。
【図面の簡単な説明】
【００８５】
【図１】本実施形態の報知システムの構成を示す全体図である。
【図２】本実施形態の携帯電話の構成を示すブロック図である。
【図３】本実施形態の機器コードリストの構成を示す図である。
【図４】本実施形態のリモコンの構成を示すブロック図である。
【図５】本実施形態の固有機器コードの構成を示す図である。
【図６】本実施形態の携帯電話の動作を示すフローチャートである。
【図７】本実施形態のリモコンの動作を示すフローチャートである。
【図８】本実施形態の携帯電話に表示される画面の一例を示した図である。
【図９】（ａ）本実施形態の携帯電話が送信する機器コードの一例である。  （ｂ）本実施形態の携帯電話が送信する機器コードの一例である。  （ｃ）本実施形態の携帯電話が送信する機器コードの一例である。
【図１０】本実施形態の携帯電話に表示される画面の一例を示した図である。
【図１１】本実施形態の携帯電話に表示される画面の一例を示した図である。
【符号の説明】
【００８６】
１    報知システム
１０    携帯電話
１１    リモコン
１０１    表示部
１０３    入力部
１０５    セルラー機能部
１０７    送信部
１１１    受信部
１１３    リモコン機能部
１１５    音声出力部
１０３１    表示部
１０３３    機器コードリスト
１１３１    固有機器コード
Ｋ１    十字キー
Ｋ２    Ｌキー
Ｋ３    Ｒキー
【図１】
2009194828.tif 000003
【図２】
2009194828.tif 000004
【図３】
2009194828.tif 000005
【図４】
2009194828.tif 000006
【図５】
2009194828.tif 000007
【図６】
2009194828.tif 000008
【図７】
2009194828.tif 000009
【図８】
2009194828.tif 000010
【図９】
2009194828.tif 000011
【図１０】
2009194828.tif 000012
【図１１】
2009194828.tif 000013